(57)【要約】【課題】足の挿入を容易にした、構造が簡単で、強固なスノーボード結束具を提供する。【解決手段】本発明のソフトブーツ用のスノーボード結束具では、固締ストラップ（８，１０）は、継ぎ手（１４，１５）によって閉止位置から足挿入開口部（６）の近傍の開放位置に枢動させることが出来る。これらのストラップ（８，１０）は、保持装置によって開放位置に保持される。この保持装置の保持力は、継ぎ手（１４，１５）の抵抗から生じるのである。【選択図】図１
2005504613.tif 000002
【特許請求の範囲】
【請求項１】
スノーボードブーツの足挿入開口部（６）と足収納基部（１）に取り付けた少なくとも一つの固締ストラップ（８，１０）とを有する、スノーボードに取り付け可能な足収納基部（１）を備えたスノーボード結束具であって、
該固締ストラップが、一つの関節継手によって閉止位置から該足挿入開口部（６）越しに該足挿入開口部に隣接した開放位置に枢動可能とされ、また該ストラップが該開放位置にあっては、該固締ストラップ（８，１０）を閉止するために克服されるべき一定の保持力で保持装置によって保持されるものとした該スノーボード結束具において、該保持装置の保持力が、固締ストラップ（８，１０）を開放位置から閉止位置に枢動させる際に克服されるべき該関節継手の抵抗によって発生せしめられることを特徴とするスノーボード結束具。
【請求項２】
足収納基部（１）の該関節継手が、該スノーボード結束具の長手方向（２８）に対して直角に伸展する軸の周囲で枢動可能に保持されることを特徴とする、請求項１において記載されたスノーボード結束具。
【請求項３】
該関節継手が、ヒンジ継手（１４，１５）により形成されること及び克服されるべき抵抗が、該固定ストラップ（８，１０）を開放位置にまで回転させるに際して増大した該関節継手の摩擦力によって発生せしめられることを特徴とする、請求項１又は２において記載されたスノーボード結束具。
【請求項４】
該ヒンジ継手（１４，１５）の回転位置が該固締ストラップ（８，１０）の開放位置の終点の直前にあった場合に、摩擦力が増大せしめられることを特徴とする、請求項３において記載されたスノーボード結束具。
【請求項５】
増大した該摩擦力が、一つのヒンジ継手部分のカム（２２）によって発生せしめられるに際して、該カムが、別の関節継手部分（１９）の係合面（２３）に作用することを特徴とする、請求項３又は４において記載されたスノーボード結束具。
【請求項６】
足収納基部（１）に取り付けた一つの関節継手部分（１９）を有するヒンジ継手が、該結束部の長手方向（２８）に対して直角に伸展する軸の周囲に枢動可能な状態に保持されることを特徴とする、請求項２乃至５の内のいずれか一項において記載されたスノーボード結束具。
【請求項７】
該関節継手が、断面が湾曲した弾性ストリップ片（３０）により形成されるに際して、該弾性ストリップ片が、該固締ストラップ（８，１０）を変形抵抗を克服して開放位置に枢動させた場合座屈するものであることを特徴とする、請求項１又は２において記載されたスノーボード結束具。
【請求項８】
該足収納基部（１）の該弾性ストリップ片（３０）が、該結束具の長手方向（２８）に対して直角に伸展する軸の周囲に枢動可能な状態に保持されることを特徴とする、請求項２及び７において記載されたスノーボード結束具。
【発明の詳細な説明】
【技術分野】
【０００１】
本発明は、特許請求の範囲の請求項１に記載された上位概念に従ったスノーボード結束具に係わる。
【背景技術】
【０００２】
ソフトブーツのためのスノーボード結束具は、足収納シェル内にソフトブーツを固定するためつま先ストラップと足の甲ストラップとを一つずつ有している。固締用ストラップは何れも、ゴム弾性材料製のストリップ片を介して結束具の足収納シェルと結束されるのである。このようなゴム弾性性ストリップ片によって、これらのストラップは、開放状態においても結束具の足挿入開口部全体に亙って留まることが往往にしてある。従って足を挿入するために、これらのストラップは、手で側方へ押しやって、足挿入開口部をフリーな状態としなければならないのである。リフトに乗った後、器用であれば手の代わりに足の後部を使うことも出来る。
【０００３】
しかしながら、このような作業は、リフトに乗る度に、従って一日に数十回も反復繰り返さねばならず、このようなことは、相当に労力を要し、その都度になれば面倒なことである。
【０００４】
ＤＥ―Ｃ  １９５  ０４  ０２６によれば、本願請求項１に記載した上位概念に従ったスノーボード結束具が公知となっている。この場合固締ストラップは、傾斜エレメントに固締され、この傾斜エレメントは、足収納基部に連結されて、バネによって開放位置に装填される。このような固締ストラップをバネの力に抗して閉止位置にまで枢動させるためには、前記傾斜エレメントは、プラットフォーム上の突出部を有しており、足を挿入する場合にはブーツでこの傾斜エレメントの上に乗ることになる。このような公知の結束具は、コスト高で且つ故障し易い。
【特許文献１】
ＤＥ―Ｃ  １９５  ０４  ０２６
【発明の開示】
【発明が解決しようとする課題】
【０００５】
本発明の課題は、足の挿入を容易にした、構造が簡単で、強固なスノーボード結束具を提供することである。
【課題を解決するための手段】
【０００６】
このことは、本発明に従えば特許請求の範囲の請求項１によって特徴づけられたスノーボード結束具によって実現されるのである。従属請求項においては、本発明に従ったスノーボード結束具の有利な実施態様が記述されている。
【発明の効果】
【０００７】
本発明に従えば、開放可能な、ヒンジ止めされた固締ストラップを使用するため、当該結束具の足収納基部に反復して足を挿入することが妨げられない。むしろ、開放され、側方に枢動されたストラップは、最早や二度と足挿入開放口上に戻って来て、これを塞ぐことがないように固締されるのである。
【発明を実施するための最良の形態】
【０００８】
保持装置は、固締ストラップを足収納基部に連結・固定する関節継手から構成される。この関節継手は、例えばリベットで足収納基部に接続することが出来るのであって、その結果結束具に直角方向に伸展する軸の周囲に枢動可能な状態に保持されることになる。保持装置の保持力は、固締ストラップを開放位置に保持するのであり、この固締ストラップを閉止位置から開放位置に枢動させる場合及びその逆の場合に克服されるべき抵抗又は死点により発生・生成される。この固締ストラップの枢動は、通常は手作業により行われる。
【０００９】
この関節継手が、ヒンジ継手又は類似した回転継手である場合は，かかる抵抗は、例えば、固締ストラップの開放位置に相当した当該関節継手の回転位置で発生する関節継手の摩擦力が増大したものとなり得る。このような摩擦力が克服された場合、開放位置にあるストラップは、より確実に固締されるのである。その理由は、かかる摩擦力は、開放位置から閉止位置へと移動した場合にも克服されねばならないからである。固締ストラップが開放位置から閉止位置に制御されずに又は意図されずに移動することは、従って実質的に排除されることになる。
【００１０】
かかる保持力は、専ら関節継手の増大した摩擦力からのみ発生するか、又は追加のバネを設けた場合は、増大した摩擦力プラスバネ力から生じる。
【００１１】
このように増大させた摩擦力は、少なくとも一つの関節継手上に設けたカム又は類似した偏心率付与機構が、別の関節継手の係合面と係合することによって、発生させることが出来る。この場合カムは、ストラップが配設されるヒンジ部に取り付ければよく、また係合面は、足収納基部が固定されるヒンジ部に配設されればよいか、又はその逆とすればよい。これらのヒンジ部の一つは、例えばリベットで足収納基部において前記した直角方向に伸展する軸の周囲において回転可能に保持することが出来る。またグルーブ又はそれに類似したものをヒンジ部に設け、相当する突出部を別のヒンジ部に設けることも出来る。
【００１２】
従って固締ストラップが、開放位置から閉止位置に変位した場合又はその逆方向に変位した場合、死点が増大した摩擦力によって克服されねばならない。このような死点はまた、別の態様で生成させることが出来る。例えば、かかる継ぎ手は、凸面湾曲状の断面を有する弾性ストリップ片で形成することが出来るのであって、かかるストリップ片は、固締ストリップ片が抵抗を克服して開放位置に枢動した場合座屈するものである。このような場合相当する屈曲したストリップ片は、鋼、特にバネ鋼、プラスチック又はその他の弾性材料から製造することが出来る。
【００１３】
凸面湾曲状の断面を有するこのようなストリップ片は、例えば子供用の玩具、所謂フロッグトイなど、ストリップ片が座屈して曲がるとカリッと音を出す玩具で公知となっている。
【００１４】
前記においてある一つのストラップについてのみ言及した場合であっても、本発明に従ったソフトブーツの結束具は、通常は多数のストラップが利用可能であり、而も通常は、スノーボードのつま先領域をカバーする一つのストラップ及び足の甲、従って足根部領域をカバーする一つのストラップとを有する。この場合、つま先ストラップ及び足の甲ストラップとも、バックルを有しており、その結果足収納基部に設けた足挿入開口部の他の側に固締されるストリップ片を固定することが出来る。
【００１５】
足挿入開口部の他の側に固締されたストリップ片、つまりラチェットストリップ片も同様に固締ストラップを構成することが出来るのであって、この固締ストラップは、閉止位置に置いては足挿入開口部を塞ぎ、その別の端部を介して足収納基部の足挿入開口部の一方の側面と開放位置での足挿入開口部の側方で枢動可能に連結される。従って本発明に従えば、この固締ストラップにもまた、閉止位置に移動させるために克服されるべき一定の保持力でこれを保持する固定装置を配設してもよい。
【００１６】
本発明に従ったスノーボード結束具の足収納基部は、それ自体では公知である。即ち、これはシェル状に形成されており、従ってスノーボードのボードに固締出来るベースシェル及びこのベースシェルと例えばヒールカップによって連結されるハイバック(Highback)とを有する。
【００１７】
以下において、本発明に従ったスノーボード結束具を図面に基いて例としてより詳細に説明する。
【００１８】
図１及び２に従えば、スノーボード結束具は、ヒールカップ４で相互に連結された、ベースシェル２及びハイバック３とから実質的に形成されるシェル状の足収納基部１を有する。このベースシェル２は、基底部においてディスク５を有し、このディスクによって例えばねじを用いた結合によって図面に表示しないスノーボードに固締される。
【００１９】
この足収納基部１は、図面に表示していないソフトブーツへの足挿入開口部を一つ有する。この足収納基部の足挿入開口部の両側において、固締ストラップ７乃至１０が取り付けられる。足の甲ストラップ８とつま先ストラップ９とは、足挿入開口部の一方の側面に枢動可能に取り付けられるが、なお足の甲ストラップ８及びつま先ストラップ１０は、それぞれヒールカップ４及びベースシェル２に取り付けられる。これら足の甲ストラップ及びつま先ストラップ１０にはそれぞれの自由端において、バックル１１及び１２が配設される。
【００２０】
これら二つのストラップ７，９は、足挿入開口部６の別の側面において、図１において示した結束具の閉止位置にあってはバックル１２，１１によってつま先ストラップ１０又は足の甲ストラップ１１と連結される。これら二つのストラップ７，８は、ラチェットストリップ片であってもよく、またかかるバックル１１，１２は、ラチェットバックルであってもよい。
【００２１】
ストラップ８とヒールカップ４、従って足収納基部１との連結、及びつま先ストラップ１０と足収納基部１、つまりベースシェル２との連結は、ヒンジ継手１４，１５を介して行われる。
【００２２】
これらのヒンジ継手１４，１５は、足の甲ストラップ８とつま先ストラップ１０を図２において示した開放位置に保持するため保持装置として形成される。このようなことは、以下によって達成される；即ち、ストラップ８、１０を矢印１６，１７の方向に従って閉止して図１において示した閉止位置とするためには、一定の抵抗を克服せねばならないが、この抵抗によって、該ストラップ８，１０を開放位置に保持して、その結果足挿入開口部６に重なり、従って閉止位置に移動させないだけの力が直ちに形成されるのである。
【００２３】
図３及び４においてヒンジ継手１４として図示したように、ヒンジ継手１４、１５のそれぞれは、継ぎ手軸２１全体に渡って回転可能に接続された二つの関節継手部を有している。関節継手部１８は、ストラップ８に、また関節継手部１９は、ヒールカップ４にそれぞれ枢動可能に保持されるが、特にリベット２７を用いて当該結束具の長手方向２８に対して直角に伸展する枢動軸の周囲で枢動可能に保持されるのである。
【００２４】
これらの関節継手部１８，１９は、軸２１に対して断面が実質的に円形であるそれぞれの端部２４，２５と相互に係合する。ヒンジ継手部１８の端部２４は、ストラップ８に取り付けられているが、カム２２が配設される。
【００２５】
ストラップ８及び従ってヒンジ継手部１８とが矢印２６に従って閉止位置（図１及び３）から開放位置（図２及び４）に移動した場合、カム２２は、ヒールカップ４、従って足収納基部１と連結されるヒンジ継手部１９において係合面２３と摩擦する。
【００２６】
従って係合面２３におけるカム２２の摩擦力によって一定の抵抗が生成される。
【００２７】
同様の抵抗が、ヒンジ継手部１８が、矢印１７に従ってストラップ８の閉止位置から開放位置に移動した場合に生じる。この抵抗は、ヒンジ継手部１８及び従ってストラップ８が図４に支援した開放位置に来た場合に克服されることは、明らかである。即ち、該摩擦力は、ストラップ８の開放位置の固有最終位置の直前となる、関節継手部１８のある回転位置において増大するのである。
【００２８】
図５及び6においては、図１乃至４に従ったヒンジ継手部１０，１４が図示される。この場合、弾性ストリップ片３０は、例えばバネ鋼製のものが用いられ、ストラップ８の場合は図５及び６において図示するように、一端でヒールカップ４に取り付けられ、また他端でストラップ８に取り付けられる。
【００２９】
このストリップ片３０は、凸面状に湾曲した断面を有しており、従ってグルーブ形状に形成される。図７及び８において図示するように、この場合図５に従えばストリップ片３０は、閉止位置にあっては、全体が連続したグル−ブを形成する。このストラップ８が閉止位置に枢動された場合は、このストリップ片３０は、座屈する。図８から明らかなように、このグル−ブ状のストリップ片３０は座屈した状態では、断面が直線状形状に変形される。従ってこのストリップ片８が、図５における閉止位置から図６における開放位置に移動した場合、この変形に対するグル−ブ形状ストリップ片の抵抗が克服されるのである。このような変形抵抗は、図６において図示した開放位置から図５に示したストラップ８の閉止位置にストラップ８が枢動することに対する抵抗を直ちに発生させる。このストリップ片３０は、ヒールカップ４のリベット３１によって結束具（図１）の長手方向２８の周囲で実質的に直角に伸展する枢動軸において枢動可能に保持されるのである。
【図面の簡単な説明】
【００３０】
【図１】開放位置における固締ストラップを取り付けたスノーボード結束具を透視図として示す。
【図２】閉止位置における固締ストラップを取り付けたスノーボード結束具を透視図として示す。
【図３】図１における線ＩＩＩ−ＩＩＩに従ったヒンジ継手の断面図を示す。
【図４】固締ストラップを開放位置とした、図３に相当する断面図を示す。
【図５】固締ストラップを開放位置とした、長手方向に湾曲したバネ鋼ストリップ片を配設した、図３及び図４の変形を示す。
【図６】固締ストラップを閉止位置とした、長手方向に湾曲したバネ鋼ストリップ片を配設した、図３及び図４の変形を示す。
【図７】図５における線ａ乃至ｃに沿った断面を示す。
【図８】図６における線ａ乃至ｃに沿った断面を示す。
【図１】
2005504613.tif 000003
【図２】
2005504613.tif 000004
【図３】
2005504613.tif 000005
【図４】
2005504613.tif 000006
【図５】
2005504613.tif 000007
【図６】
2005504613.tif 000008
【図７】
2005504613.tif 000009
【図８】
2005504613.tif 000010
【国際公開パンフレット】
2005504613.tif 000011
2005504613.tif 000012
2005504613.tif 000013
2005504613.tif 000014
2005504613.tif 000015
2005504613.tif 000016
2005504613.tif 000017
2005504613.tif 000018
2005504613.tif 000019
2005504613.tif 000020
2005504613.tif 000021
2005504613.tif 000022
2005504613.tif 000023
2005504613.tif 000024
【国際調査報告】
2005504613.tif 000025
2005504613.tif 000026
2005504613.tif 000027
2005504613.tif 000028